(57)【要約】【課題】  裏面に糊が塗布された壁紙を十分に伸びきる前に壁に貼ると、貼った後にも伸びが続いて所々に膨れが生じる場合がある。壁紙が十分に伸びきるまでに必要な時間をオープンタイムとして壁紙品番毎に定められている。ところが、糊が塗布された糊付き壁紙の糊付け後の経過時間を計数してオープンタイムに到達したことを通知する機能を有する自動壁紙糊付機は具現化されていない。【解決手段】  糊付実行レコードのデーター項目として、少なくとも、糊付実行番号項目と、糊付長さ項目と、壁紙オープンタイム項目からなる糊付実行レコードを生成して記憶し、生成した糊付実行レコードの１レコード毎にタイマーを設け、糊付実行レコードを生成した直後からタイマーを起動して経過時間を計数し、糊付実行番号項目により示される糊付き壁紙がオープンタイムに到達したことを通知することを特徴とする。【選択図】図９
2018176650.tif 000002
【特許請求の範囲】
【請求項１】
自動壁紙糊付機を制御するためのシーケンスを実行する演算部と、搬送した壁紙の長さを算出するための検尺手段と、自動壁紙糊付機の作動条件の入力および作動状態の出力を行う表示操作部と、作動条件や糊付実行レコードを記憶する記憶手段を備え、裏面に糊が塗布された糊付き壁紙を製造し、前記糊付き壁紙の前記糊付実行レコードを生成する自動壁紙糊付機であって、
前記演算部は、前記糊付実行レコードのデーター項目として、少なくとも、糊付実行番号項目と糊付長さ項目と壁紙オープンタイム項目からなる前記糊付実行レコードを生成して前記記憶手段に記憶し、生成した前記糊付実行レコードの１レコード毎にタイマーを設け、  前記演算部は、前記糊付実行レコードを生成した直後から前記タイマーを起動して経過時間を計数し、
前記タイマーの経過時間が前記壁紙オープンタイム項目の値に到達した場合に、前記糊付実行番号項目により示される前記糊付き壁紙がオープンタイムに到達したことを通知することを特徴とする自動壁紙糊付機。
【請求項２】
前記タイマーは、前記演算部が水晶振動子の周波数を分周して生成したクロックにより経過時間を計数するソフトウェアシーケンスであることを特徴とする前記請求項１の自動壁紙糊付機。
【請求項３】
自動壁紙糊付機を制御するためのシーケンスを実行する演算部と、搬送した壁紙の長さを算出するための検尺手段と、自動壁紙糊付機の作動条件の入力および作動状態の出力を行う表示操作部と、作動条件や糊付実行レコードを記憶する記憶手段と、現在時刻を示す計時部を備え、裏面に糊が塗布された糊付き壁紙を製造し、前記糊付き壁紙の前記糊付実行レコードを生成する自動壁紙糊付機であって、
ＩＤタグにデーターを送受信するＩＤタグ検出手段を設け、前記演算部は、前記糊付実行レコードのデーター項目として、少なくとも、糊付実行時刻項目と  糊付実行番号項目と  糊付け長さ項目と  壁紙オープンタイム項目からなる前記糊付実行レコードを、前記ＩＤタグ検出手段により、前記ＩＤタグに記録することを特徴とする自動壁紙糊付機。
【請求項４】
前記演算部は、任意時間経過後に前記ＩＤタグ検出手段により、前記ＩＤタグを検出し、
検出された前記ＩＤタグに記録されている前記糊付実行レコードの１レコード毎にタイマーを設け、
前記計時部が示す現在時刻から、検出された前記ＩＤタグに記録されている前記糊付実行時刻項目の時刻を減算した時間を前記タイマーの初期値として前記タイマーを起動して経過時間を計数し、前記タイマーの経過時間が前記壁紙オープンタイム項目の値に到達した場合に、前記糊付実行番号項目により示される前記糊付き壁紙がオープンタイムに到達したことを通知すること特徴とする前記請求項３の自動壁紙糊付機。
【請求項５】
前記タイマーは、前記演算部が水晶振動子の周波数を分周して生成したクロックにより経過時間を計数するソフトウェアシーケンスであることを特徴とする前記請求項４の自動壁紙糊付機。
【発明の詳細な説明】
【技術分野】
【０００１】
本発明は、部屋の天井や壁面に貼る、所定の長さの壁紙に、所定の厚みで糊を塗布する為の自動壁紙糊付機である。更に詳しくは、裏面に糊が塗布された糊付き壁紙の糊付け後の経過時間を計数してオープンタイムに到達したことを通知する機能を有する自動壁紙糊付機である。
【背景技術】
【０００２】
自動壁紙糊付機は、従来より、複数のローラーと糊箱が配設された下部構体の上に、複数のローラーが配設された上部構体を開閉可能に載置した自動壁紙糊付機本体部を脚部の上に載置し、壁紙の左右側縁部を切断するためのスリッターを下部構体に係止し、脚部に設けられた原反受けにセットされた壁紙原反を引き出し、複数のローラーにより搬送し、裏面に糊が塗布された糊付き壁紙を自動壁紙糊付機の前方へ排出する。
【０００３】
また、自動壁紙糊付機では、モーターを含む制御装置を下部構体の側面に脱着自在に装着する方式のものや、モーターを下部構体に残して表示操作部が脱着できる方式のものや、携帯端末を表示操作部として使用する方式のものがある。
【０００４】
図１１、図１２に従来技術の自動壁紙糊付機を示す。脚部（１２２）に設けられた原反受け（１２４）にセットされた壁紙Ａの原反は、先頭から解反され、スリッター（１２３）に通され、検尺ローラー（１２９）と送り出しローラー（１３０）の間を通され、糊付けローラー（１３２）に裏面が接触して糊Ｂが塗布されて正面側（原反受け（１２４）と反対側）に排出される。
また、排出される壁紙Ａの長さは、制御装置（１０２）により逐次算出され、設定された長さに到達すれば搬送が停止される。
排出された壁紙Ａは、作業者によりカッターガイド（１２８）の位置で横方向に一直線に切断されることにより、糊Ｂが塗布された壁紙Ａが一枚できあがる。（以下では糊付き壁紙Ｃと称する）。糊付き壁紙Ｃは糊Ｂが塗布された裏面同士が向かい合って、また糊Ｂが塗布されていない表面同士が向かい合って重なっている。
作業者は、できあがった糊付き壁紙Ｃを横にのけておいて、図１３（a）と図１３（b）に示す運搬容器に蓄えておきながら、次の糊付けを行い、糊付き壁紙Ｃが貯まってから部屋へ貼りに行く。
【０００５】
また、糊付予定レコードとして、糊Ｂを塗布する壁紙Ａの長さと枚数を予め入力しておく機能や、また、長さがいくらの糊付き壁紙Ｃを何枚作ったか等を糊付実行レコードとして生成して記憶する機能を有する自動壁紙糊付機も具現化されている。
【先行技術文献】
【特許文献】
【０００６】
【特許文献１】特開２０００−３３３０３
【０００７】
【特許文献１】特開２００９−９０２２５
【発明の開示】
【発明が解決しようとする課題】
【０００８】
一方、裏面に糊が塗布された壁紙は、糊の水分が裏紙の繊維に浸透して少しづつ伸びていくので、十分に伸びきる前に壁に貼ると、貼った後にも伸びが続いて所々に膨れが生じる場合がある。このため、糊が塗布された壁紙が十分に伸びきるまでに必要な所要時間を、オープンタイム、あるいは、「養生時間」、あるいは、「熟ませ時間」として、壁紙品番毎に定められている。
ところが、裏面に糊が塗布された糊付き壁紙の糊付け後の経過時間を計数してオープンタイムに到達したことを通知する機能を有する自動壁紙糊付機は具現化されていない。
【課題を解決するための手段】
【０００９】
自動壁紙糊付機を制御するためのシーケンスを実行する演算部と、搬送した壁紙の長さを算出するための検尺手段と、自動壁紙糊付機の作動条件の入力および作動状態の出力を行う表示操作部と、作動条件や糊付実行レコードを記憶する記憶手段を備え、裏面に糊が塗布された糊付き壁紙を製造し、糊付き壁紙の糊付実行レコードを生成する自動壁紙糊付機であって、
演算部は、糊付実行レコードのデーター項目として、少なくとも、糊付実行番号項目と、糊付長さ項目と、壁紙オープンタイム項目からなる糊付実行レコードを生成して記憶手段に記憶し、生成した糊付実行レコードの１レコード毎にタイマーを設け、
演算部は、糊付実行レコードを生成した直後からタイマーを起動して経過時間を計数し、
タイマーの経過時間が壁紙オープンタイム項目の値に到達した場合に、糊付実行番号項目により示される糊付き壁紙がオープンタイムに到達したことを通知することを特徴とする。
【００１０】
タイマーは、演算部が水晶振動子の周波数を分周して生成したクロックにより経過時間を計数するソフトウェアシーケンスであることを特徴とする。
【００１１】
自動壁紙糊付機を制御するためのシーケンスを実行する演算部と、搬送した壁紙の長さを算出するための検尺手段と、自動壁紙糊付機の作動条件の入力および作動状態の出力を行う表示操作部と、作動条件や糊付実行レコードを記憶する記憶手段と、現在時刻を示す計時部を備え、
裏面に糊が塗布された糊付き壁紙を製造し、糊付き壁紙の糊付実行レコードを生成する自動壁紙糊付機であって、
ＩＤタグにデーターを送受信するＩＤタグ検出手段を設け、
演算部は、糊付実行レコードのデーター項目として、
少なくとも、糊付実行時刻項目と糊付実行番号項目と糊付け長さ項目と壁紙オープンタイム項目からなる糊付実行レコードを、ＩＤタグ検出手段により、ＩＤタグに記録することを特徴とする。
【００１２】
演算部は、任意時間経過後にＩＤタグ検出手段によりＩＤタグを検出し、検出されたＩＤタグに記録されている糊付実行レコードの１レコード毎にタイマーを設け、計時部が示す現在時刻から、検出されたＩＤタグに記録されている糊付実行時刻項目の時刻を減算した時間をタイマーの初期値としてタイマーを起動して経過時間を計数し、タイマーの経過時間が壁紙オープンタイム項目の値に到達した場合に、糊付実行番号項目により示される糊付き壁紙がオープンタイムに到達したことを通知すること特徴とする。
【００１３】
タイマーは、演算部が水晶振動子の周波数を分周して生成したクロックにより経過時間を計数するソフトウェアシーケンスであることを特徴とする。
【発明の効果】
【００１４】
自動壁紙糊付機を制御するためのシーケンスを実行する演算部と、搬送した壁紙の長さを算出するための検尺手段と、自動壁紙糊付機の作動条件の入力および作動状態の出力を行う表示操作部と、作動条件や糊付実行レコードを記憶する記憶手段を備え、裏面に糊が塗布された糊付き壁紙を製造し、糊付き壁紙の糊付実行レコードを生成する自動壁紙糊付機であって、
演算部は、糊付実行レコードのデーター項目として、少なくとも、糊付実行番号項目と、糊付長さ項目と、壁紙オープンタイム項目からなる糊付実行レコードを生成して記憶手段に記憶し、生成した糊付実行レコードの１レコード毎にタイマーを設け、
演算部は、糊付実行レコードを生成した直後からタイマーを起動して経過時間を計数し、タイマーの経過時間が壁紙オープンタイム項目の値に到達した場合に、糊付実行番号項目により示される糊付き壁紙がオープンタイムに到達したことを通知することを特徴とするので、裏面に糊が塗布された糊付き壁紙の一枚一枚について、オープンタイムに到達したことを作業者は知ることができる。
【００１５】
タイマーは、演算部が水晶振動子の周波数を分周して生成したクロックにより経過時間を計数するソフトウェアシーケンスであることを特徴とするので、製造原価が高くならない方法により、裏面に糊が塗布された糊付き壁紙の一枚一枚について、オープンタイムに到達したことを作業者は知ることができる。
【００１６】
自動壁紙糊付機を制御するためのシーケンスを実行する演算部と、搬送した壁紙の長さを算出するための検尺手段と、自動壁紙糊付機の作動条件の入力および作動状態の出力を行う表示操作部と、作動条件や糊付実行レコードを記憶する記憶手段と、現在時刻を示す計時部を備え、裏面に糊が塗布された糊付き壁紙を製造し、糊付き壁紙の糊付実行レコードを生成する自動壁紙糊付機であって、
ＩＤタグにデーターを送受信するＩＤタグ検出手段を設け、演算部は、糊付実行レコードのデーター項目として、少なくとも、糊付実行時刻項目と糊付実行番号項目と糊付け長さ項目と壁紙オープンタイム項目からなる糊付実行レコードを、ＩＤタグ検出手段により、ＩＤタグに記録することを特徴とするので、糊付実行レコードを記録したＩＤタグを運搬容器に貼り付けることにより、運搬容器の中の糊付き壁紙を管理できる。
【００１７】
演算部は、任意時間経過後にＩＤタグ検出手段によりＩＤタグを検出し、検出されたＩＤタグに記録されている糊付実行レコードの１レコード毎にタイマーを設け、計時部が示す現在時刻から、検出されたＩＤタグに記録されている糊付実行時刻項目の時刻を減算した時間をタイマーの初期値としてタイマーを起動して経過時間を計数し、タイマーの経過時間が壁紙オープンタイム項目の値に到達した場合に、糊付実行番号項目により示される糊付き壁紙がオープンタイムに到達したことを通知すること特徴とするので、裏面に糊が塗布された糊付き壁紙の一枚一枚について、オープンタイムに到達したことを作業者は知ることができる。
【００１８】
タイマーは、演算部が水晶振動子の周波数を分周して生成したクロックにより経過時間を計数するソフトウェアシーケンスであることを特徴とするので、製造原価が高くならない方法により、裏面に糊が塗布された糊付き壁紙の一枚一枚について、オープンタイムに到達したことを作業者は知ることができる。
【図面の簡単な説明】
【００１９】
【図１】図１は、本発明の自動壁紙糊付機を使用して糊付けを行う状態を説明するための図である。
【図２】図２は、本発明の自動壁紙糊付機を説明するための側面断面図である。
【図３】図３は、本発明の自動壁紙糊付機機能ブロック図である。
【図４】図４は、記憶手段に記憶する糊付実行レコードの書式を説明するための図である。
【図５】図５は、ＩＤタグに記憶する糊付実行レコードの書式を説明するための図である。
【図６】図６は、オープンタイムに達したことを通知する画面を説明するための図である。
【図７】図７は、糊付き壁紙を運搬する運搬容器を説明するための図であり、図７（a）は間仕切りが設けられている運搬容器であり、図７（b）は袋状の運搬容器である。
【図８】図８は、糊付実行レコード生成処理のフローチャートである。
【図９】図９は、タイマー処理のフローチャートである。
【図１０】図１０は、ＩＤタグに記録された糊付実行レコードからタイマー処理を起動する処理のフローチャートである。
【図１１】図１１は、従来技術の自動壁紙糊付機を使用して糊付けを行う状態を説明するための図である。
【図１２】図１２は、従来技術の自動壁紙糊付機を説明するための側面断面図である。
【図１３】図１３（a）と図１３（b）は糊付き壁紙を入れる運搬容器である。
【発明を実施するための最良の形態】
【００２０】
図１と図２に本発明の自動壁紙糊付機（１）を示す。
脚部（２２）に設けられた原反受け（２４）にセットされた壁紙Ａの原反は、
先頭から解反され、スリッター（２３）に通され、検尺ローラー（２９）と送り出しローラー（３０）の間を通され、糊付けローラー（３２）に裏面が接触して糊Ｂが塗布されて正面側（原反受け（２４）と反対側）に排出される。
また、排出される壁紙Ａの長さは、制御装置（２）により逐次算出され、設定された長さに到達すれば搬送が停止される。
【００２１】
作業者により、壁紙Ａを、カッターガイド（２８）の位置で横方向に一直線に切断されることにより、糊Ｂが塗布された壁紙Ａが一枚できあがる。壁紙Ｃは糊Ｂが塗布された裏面同士が向かい合って、また糊Ｂが塗布されていない表面同士が向かい合って、表面に糊Ｂが付着して汚れないように重なっている。
【００２２】
本発明の自動壁紙糊付機（１）の制御装置（２）の機能ブロックを図３に示す。
通信部（３）は、有線または無線回線により携帯端末やインターネット回線に接続してデーターを送受信する機能であり、「壁紙情報」や「糊付予定レコード」や「糊付実行レコード」等のデーターが送受信される。
【００２３】
表示操作部（４）は、自動壁紙糊付機（１）の作動条件の入力や作動状態の出力や作動指示をするためのものであり、複数のキースイッチ（図示せず）と液晶表示器（図示せず）とタッチパネル（図示せず）等で構成されている。
また、操作音や通知音を発生するブザー（図示せず）が設けられている。
【００２４】
計時部（５）は、年、月、日、時、分、秒を刻むカレンダー時計機能である。
【００２５】
検尺手段（６）は、搬送される壁紙に従動回転する検尺ローラー（２９）に設けられた検尺信号発生部と検尺信号を計数して壁紙の長さを算出する機能である。
【００２６】
記憶手段（７）は、演算部（９）が処理を実行する為に必要な変数や、作動条件などのデータや壁紙情報や糊付予定レコードや糊付実行レコード等のデーターを記憶するためのＲＡＭとＲＯＭである。
【００２７】
ＩＤタグ（１２）は、ＵＨＦ帯の電波によってデーターをポーリングで送受信する方式のＲＦＩＤタグである。
【００２８】
ＩＤタグ検出手段（８）は、ＩＤタグ（１２）に対して、ＵＨＦ帯の電波によってデーターをポーリングで送受信する機能である。
【００２９】
演算部（９）は、主にワンチップマイコンからなり、予め定められたシーケンスを実行することにより、自動壁紙糊機（１）を制御するものであり、ＩＤタグ検出手段（８）や検尺手段（６）や表示操作部（４）や通信部（３）などを制御する機能を有している。
また、演算部（９）は外付けされた水晶振動子（１１）をシステムクロックとして作動し、また、水晶振動子（１１）の周波数を分周して時間間隔が異なるクロックを発生する機能を有するものである。
【００３０】
また、制御装置（２）の、演算部（９）と記憶手段（７）とＩＤタグ検出手段（８）と
通信部（３）と計時部（５）と表示操作部（４）は制御基板（１３）に設けられており、電池部（１０）と制御基板（１３）は携帯型ユニット（１４）となっており、自動壁紙糊付機（１）から取り外して携帯可能である。携帯型ユニット（１４）は自動壁紙糊付機（１）から取り外されている状態でも電池部（１０）により作動できるものである。
【００３１】
また、制御装置（２）には、複数のローラーを回転駆動させて壁紙Ａを搬送するための壁紙搬送モーター（１６）を制御するためのモーター制御部（１５）が設けられている。
モーター制御部（１５）は、演算部（９）の指令により、壁紙搬送モーター（１６）の回転、停止、速度変更などの制御を行う。
【００３２】
演算部（９）が糊付けを実行して「糊付実行レコード」を生成する「糊付実行レコード生成処理」シーケンスを図８を用いて説明する。
処理ＳＮＰ１は原反受け（２４）にセットしている壁紙Ａの種類を替えた場合に実行する処理であり、処理ＳＮＰ２と処理ＳＮＰ３と処理ＳＮＰ４と処理ＳＮＰ５と処理ＳＮＰ６は、
１枚の壁紙Ａの糊付けを実行する毎に実行する処理である。
【００３３】
処理ＳＮＰ１では、これから糊を塗布するために、原反受け（２４）にセットされている壁紙Ａのオープンタイムを演算部（９）に設定する。
オープンタイムを設定する方法には、作業者が表示操作部（４）から数値を入力して設定する方法と、通信部（３）により、遠隔地のサーバーから、あるいは、作業者が所持している携帯端末から「壁紙情報」として入力されたデータを用いて設定する方法がある。
演算部（９）は設定されたオープンタイムを、以下に続く処理を実行するための変数「オープンタイムＯＴ」として記憶手段（７）に記憶させる。
【００３４】
処理ＳＮＰ２では演算部（９）は糊付けを実行する。
糊付を塗布する壁紙Ａの長さを設定する方法には、作業者が表示操作部（４）から作動条件として数値を入力して設定する方法と、「糊付予定情報」として、作業者が所持している携帯端末から入力したデータを用いて設定する方法がある。
壁紙Ａの長さが設定され、糊付け実行が指示されると、演算部（９）は、壁紙搬送モーター（１６）を回転させて、送り出しローラー（３０）など複数のローラーを回転させ、壁紙Ａの裏面に糊を塗布しつつ、検尺手段（６）により生成される検尺信号から
搬送された壁紙Ａの長さを算出し、糊を塗布して排出した壁紙Ａの長さが設定長に達したら、
壁紙搬送モーター（１６）を停止させて、処理ＳＮＰ３へ進む。
【００３５】
処理ＳＮＰ３では、演算部（９）は「糊付実行レコード」を生成して記憶手段（７）に記憶する。「糊付実行レコード」の具体例を図４に示す。
「糊付実行レコード」は、項目「糊付番号（ｎ）」と項目「オープンタイム  ＯＰ（ｎ）」と 項目「糊付長さＬ（ｎ）」で構成されており、  項目「糊付番号（ｎ）」は、糊を塗布した壁紙Ａ（以下では糊付き壁紙Ｃと称する）を特定する為の連番であり、項目「糊付長さＬ（ｎ）」は、項目「糊付番号（ｎ）」で特定される糊付き壁紙Ｃの長さであり、項目「オープンタイム  ＯＰ（ｎ）」は、処理ＳＮＰ１で設定された「オープンタイムＯＴ」の値を代入し、「オープンタイム  ＯＰ（ｎ）」の値は秒の単位に換算して以下の処理を実行する。
【００３６】
演算部（９）は、１枚めの糊付けを実行した直後に図４の１行めの、「糊付番号（ｎ）」＝０１、「オープンタイムＯＰ（ｎ）」＝１５分（演算部（９）は秒単位に換算して９００秒として実行する）、「糊付長さＬ（ｎ）」＝３００ｃｍの「糊付実行レコード」を生成し、以下に続く処理ＳＮＰ４と処理ＳＮＰ５と処理ＳＮＰ６を実行して、処理ＳＮＰ２に戻って２枚めの糊付けを実行した直後に、図４の２行めの、「糊付番号（ｎ）」＝０２、「オープンタイムＯＰ（ｎ）」＝１５分（９００秒）、「糊付長さＬ（ｎ）」＝３５０ｃｍの「糊付実行レコード」を生成する。  
図４は、糊付けを１０回実行し、糊付き壁紙Ｃを１０枚作った後に１０個の「糊付実行レコード」が記憶手段（９）に記憶されている状態である。
【００３７】
処理ＳＮＰ４では、演算部（９）は「糊付実行レコード」を記憶手段（７）に記憶した時点から、図９のフローチャートに示す「タイマー処理」を実行するために、タイマーの初期値として、「タイマー値ＧＴＭ（ｎ）」に０を代入する処理である。
「タイマー処理」は、演算部（９）が他の複数の処理と時分割で同時実行する処理であり、
演算部（９）は「タイマー処理」を起動して実行しながら処理ＳＮＰ６へ進む。
（「タイマー処理」のフローチャートは後述する。）
【００３８】
処理ＳＮＰ６は、「糊付実行レコード」をＩＤタグ（１２）にも記録することが作動条件として指示されている場合に実行する処理である。
指示されていない場合には処理ＳＮＰ６では何も実行しないで、処理ＳＮＰ２へ戻る。
【００３９】
処理ＳＮＰ６で演算部（９）は「糊付実行レコードをＩＤタグに記録する処理」を実行し、１枚めの糊付けを実行した直後に図５の１行めの、「糊付番号（ｎ）」＝０１、「糊付時刻ＤＴ（ｎ）」＝（１７／１０／１０  １４：２０：００）、「オープンタイムＯＰ（ｎ）」＝１５分（９００秒）、「糊付長さＬ（ｎ）」＝３００ｃｍの「糊付実行レコード」をＩＤタグ（１２）に記録し、  再び処理ＳＮＰ２に戻って、２枚めの糊付けを実行した後に、処理ＳＮＰ４と処理ＳＮＰ５を実行して、２行めの、「糊付番号（ｎ）」＝０２、「糊付時刻ＤＴ（ｎ）」＝（１７／１０／１０  １４：２１：００）、「オープンタイムＯＰ（ｎ）」＝１５分（９００秒）、「糊付長さＬ（ｎ）」＝３５０ｃｍの「糊付実行レコード」をＩＤタグ（１２）に記録する。
図５は、糊付けを１０回実行し、糊付き壁紙Ｃを１０枚作った後のＩＤタグ（１２）に記録されている「糊付実行レコード」である。
【００４０】
「糊付時刻ＤＴ（ｎ）」＝（１７／１０／１０  １４：２０：００）の時刻は、演算部（９）が壁紙搬送モーター（１６）を回転させ、複数のローラーを回転させ、壁紙Ａに糊を塗布しつつ、検尺手段（６）により生成される検尺信号から搬送された壁紙Ａの長さを算出し、糊を塗布して排出した壁紙Ａの長さが設定長に達して壁紙搬送モーター（１６）を停止させた時点の、計時部（５）が示す（年／月／日  時：分：秒）である。
【００４１】
作業者により壁紙Ａの原反のセット替えが行われ、オープンタイムの再設定が指示された場合には処理ＳＮＰ１を実行し、セット替えが行われていない場合は処理ＳＮＰ２を実行する。
【００４２】
図９に演算部（９）が実行する「タイマー処理」シーケンスのフローチャートを示す。
「タイマー処理」は、演算部（９）が他の複数の処理と時分割で同時実行する処理である。
【００４３】
処理ＴＴＰ１はタイマーの初期値を設定する処理である。
「タイマー値ＧＴＭ（ｎ）」の初期値の設定は、「タイマー処理」を起動させる処理において変数「タイマー値ＧＴＭ（ｎ）」に代入しておく。
「糊付実行レコード生成処理」から「タイマー処理」を起動させた場合には、「糊付実行レコード生成処理」の処理ＳＮＰ４において、タイマーの初期値として、「タイマー値ＧＴＭ（ｎ）」に０を代入しているので、図５の１行めの、「糊付番号（ｎ）」＝０１の「糊付実行レコード」に対応する「タイマー（ｎ）」＝０１の初期値は０秒であり、「タイマー（ｎ）」＝０１は０秒から経過時間を計数する。
一方、図１１のフローチャートで示す、「ＩＤタグに記録された糊付実行レコードからタイマー処理を起動する処理」では、処理ＷＴＰ４において、ＩＤタグ（１２）に記録されている「現在時刻ＧＴ（ｎ）」と「糊付時刻ＤＴ（ｎ）」を比較した結果の値が「タイマー値ＧＴＭ（ｎ）」に代入されている。
【００４４】
図４に示した「糊付実行レコード」を用いて、「糊付実行レコード生成処理」から「タイマー処理」を起動する場合、処理ＴＴＰ１では、演算部（９）は１枚めの糊付き壁紙Ｃを作り、図４の１行めの「糊付実行レコード」を生成した直後に、項目「糊付番号（ｎ）」＝０１の糊付き壁紙Ｃの経過時間を計数するための「タイマー（ｎ）」＝０１を起動し、「タイマー値ＧＴＭ（０１）」＝０秒として、「タイマー上限値ＧＬＭ（０１）」に、秒単位に換算した「オープンタイム  ＯＰ（ｎ）」＝９００を代入し、「タイマー上限値ＧＬＭ（０１）」＝９００とする。
【００４５】
処理ＴＴＰ２は、「タイマー値ＧＴＭ（０１）」をカウントアップする処理である。
演算部（９）は「タイマー値ＧＴＭ（０１）」＝０に、３０秒を加算して、「タイマー値ＧＴＭ（０１）」＝３０とする。
【００４６】
処理ＴＴＰ３は、「タイマー値ＧＴＭ（０１）」が「タイマー上限値ＧＬＭ（０１）」に到達しているか否かを判定する処理である。
演算部（９）は、水晶振動子（１１）からシステムクロック、および内部クロックを生成し、内部クロックを分周し、３０秒毎に発生するクロックを生成し、３０秒毎に処理ＴＴＰ２と処理ＴＴＰ３を繰り返し実行することにより、「タイマー値ＧＴＭ（０１）」の値を３０秒づつ加算（カウントアップ）していき、「タイマー値ＧＴＭ（０１）」の値が９００以上に到達すれば、演算部（９）は処理ＴＴＰ４を実行し、表示操作部（４）に図６に示す画面を表示し、「糊付番号（ｎ）」の、「糊付長さＬ」の糊付き壁紙Ｃが、オープンタイムに到達したことを、表示操作部（４）を用いて作業者に通知する。
図６に示す画面は、演算部（９）が「糊付実行レコード生成処理」の処理ＳＮＰ２を実行している途中で、ブザー音とともに通知した場合である。
【００４７】
「タイマー（ｎ）」＝０１は、演算部（９）が３０秒毎に発生するクロックを用いて、他の複数の処理と時分割で同時実行し、処理ＴＴＰ４を実行した時点で処理の実行を停止する。
【００４８】
また、演算部（９）は、図４に示す、「タイマー（ｎ）」＝０１から「タイマー（ｎ）」＝１０までの１０個の「タイマー（ｎ）」を起動し、他の処理と時分割で同時に実行し、
起動した全ての「タイマー（ｎ）」を、３０秒毎に加算し、３０秒毎に処理ＴＴＰ１、処理ＴＴＰ２、処理ＴＴＰ３までをループし、「糊付番号（ｎ）」＝０１の「糊付実行レコード」から「糊付番号（ｎ）」＝１０までの「糊付実行レコード」について、「糊付実行レコード」を生成した時点からの経過時間を計数することにより、「糊付番号（ｎ）」＝０１により示される糊付き壁紙Ｃから、「糊付番号（ｎ）」＝１０により示される糊付き壁紙Ｃに至るまの全ての糊付き壁紙Ｃがオープンタイムに到達しているか否かを判定して通知する。
【００４９】
続いて、「糊付実行レコード」が記録されたＩＤタグ（１２）が貼り付けられた運搬容器内の糊付き壁紙Ｃがオープンタイムに到達しているか否かを判定する処理を説明する。
図７（a）と図７（b）の運搬容器に貼り付けられているＩＤタグ（１２）に、図５に示す「糊付実行レコード」が記録されているものとして図１０のフローチャートを説明する。
【００５０】
処理ＷＴＰ１と処理ＷＴＰ２は、演算部（９）がＩＤタグ検出手段（８）を用いて、ポーリングにより、ＩＤタグ（１２）を検出する処理である。
【００５１】
処理ＷＴＰ３と処理ＷＴＰ４は、検出されたＩＤタグ（１２）に記録されている「糊付実行レコード」のレコード毎に「タイマー（ｎ）」を起動させるための「タイマー（ｎ）」の初期値を決定する処理である。
演算部（９）は計時部（５）が示す現在時刻「現在時刻ＧＴ（ｎ）」と、「糊付実行レコード」の「糊付時刻ＤＴ（ｎ）」から、式： 「タイマー値ＧＴＭ（ｎ）」＝「現在時刻ＧＴ（ｎ）」−「糊付時刻ＤＴ（ｎ）」として、タイマーの初期値を決定する。
例えば、計時部（５）が示す現在時刻が、２０１７年１０月１０日、１５時２０分０秒
であるとすると、図５の１行目の「糊付番号（ｎ）」＝０１の「糊付実行レコード」に対応する「タイマー（ｎ）」＝０１の値「タイマー値ＧＴＭ（０１）」は、（１５時２０分０秒）−（１４時２０分０秒）で、６０分となり、「タイマー値ＧＴＭ（０１）」＝３６００秒と決定し、図９で示した「タイマー処理」を実行し、「タイマー処理」の処理ＴＴＰ３を１回目に実行した時点で、「タイマー値ＧＴＭ（０１）」＝３６００秒が、「タイマー上限値ＧＬＭ（０１）」＝９００秒を超えているので、「糊付番号（ｎ）」＝０１の糊付き壁紙Ｃは既にオープンタイムに到達していると判定する。
【００５２】
同様の式により、図５の１０行目の「糊付番号ｎ」＝１０の「糊付実行レコード」に対応する「タイマー（ｎ）」＝１０の値「タイマー値ＧＴＭ（１０）」の場合は、（１５時２０分０秒）−（１５時１分０秒）で、９分となり、「タイマー値ＧＴＭ（１０）」＝５４０秒と決定し、図９で示した「タイマー処理」を実行し、「タイマー処理」の処理ＴＴＰ３を１回目に実行した時点では、「タイマー値ＧＴＭ（１０）」＝５４０が、「タイマー上限値ＧＬＭ（１０）」＝１８００秒を超えていないので、「タイマー（ｎ）」＝１０は初期値５４０秒から３０秒毎に３０秒加算し、「タイマー値ＧＴＭ（１０）」の値が、「タイマー上限値ＧＬＭ（１０）」＝１８００秒を超えた時点で、「糊付番号（ｎ）」＝１０の糊付き壁紙Ｃはオープンタイムに到達したと判定して通知する。
【００５３】
ＩＤタグ（１２）に「糊付実行レコード」を記録する方法は、複数の作業者により、内装施工作業を糊付け作業と壁に貼る作業に分担して同時に行う場合に便利なものである。
例えば、作業者Ａが自動壁紙糊付機（１）を使って糊付き壁紙Ｃを製造し、図７（a）と図７（b）の運搬容器に入れて、「糊付実行レコード」が記録されたＩＤタグ（１２）を貼り付ける作業をだけを行い、作業者Ｂと作業者Ｃが自動壁紙糊付機（１）に装着されている制御装置（２）とは別体の携帯型ユニット（１４）を所持し、運搬容器を壁紙を貼る部屋へ持っていって壁に貼る際に、携帯型ユニット（１４）を起動して「ＩＤタグに記録された糊付実行レコードからタイマー処理」を実行させれば、どの糊付き壁紙Ｃがオープンタイムに到達しているのかがわかる。
【００５４】
また、補助メニュー処理（フローチャート図示せず）の中に、図４に示す「糊付実行レコード」と図５に示す「糊付実行レコード」と「タイマー値ＧＴＭ（ｎ）」を表示操作部（４）に表示する処理を設け、作業者が見たい任意の時に見ることができるようにしているので、あとどれくらいの時間でどの糊付き壁紙Ｃがオープンタイムに到達するかを作業者は知ることができ、また、運搬容器に入れられている糊付き壁紙Ｃの一枚一枚について、糊が塗布された日時と長さがわかる。
【００５５】
また、本発明の演算部（９）は、「糊付実行レコード」を９９レコード、「タイマー（ｎ）」は１から９９まで９９個を、他の処理と時分割で同時に実行する性能を有するものである。
【００５６】
本発明の「タイマー（ｎ）」は、演算部（９）が水晶振動子（１１）のクロックを分周して実行するソフトウェアシーケンスとしているが、演算部（９）が実装されている制御基板（１３）上に、市販されているタイマー用ＩＣを複数個設ける場合でも、製造原価が高くなる方法ではあるが効果は得られる。
【符号の説明】
【００５７】
１    自動壁紙糊付機  
２    制御装置
３    通信部
４    表示操作部
５    計時部
６    検尺手段
７    記憶手段
８    ＩＤタグ検出手段
９    演算部
１０  電池部
１１  水晶振動子
１２  ＩＤタグ
１３  制御基板
１４  携帯型ユニット
１５  モーター駆動部
１６  壁紙搬送モーター
２１  本体部
２２  脚部
２３  スリッター
２４  原反受け
２５  原反芯棒
２６  サイド板
２７  糊箱
２８  カッターガイド
２９  検尺ローラー
３０  送り出しローラー
３１  ドクターローラー
３２  糊付けローラー
１０１  自動壁紙糊付機
１０２  制御装置
１０４  表示操作部
１２１  本体部
１２２  脚部
１２３  スリッター
１２４  原反受け
１２５  原反芯棒
１２６  サイド板
１２７  糊箱
１２８  カッターガイド
１２９  検尺ローラー
１３０  送り出しローラー
１３１  ドクターローラー
１３２  糊付けローラー
１３３  運搬容器
１３４  運搬容器
Ａ      壁紙
Ｂ      糊
Ｃ      糊付き壁紙
【図１】
2018176650.tif 000003
【図２】
2018176650.tif 000004
【図３】
2018176650.tif 000005
【図４】
2018176650.tif 000006
【図５】
2018176650.tif 000007
【図６】
2018176650.tif 000008
【図７】
2018176650.tif 000009
【図８】
2018176650.tif 000010
【図９】
2018176650.tif 000011
【図１０】
2018176650.tif 000012
【図１１】
2018176650.tif 000013
【図１２】
2018176650.tif 000014
【図１３】
2018176650.tif 000015